(57)【要約】【課題】簡単な構造で迅速にポールおよびベルを着脱することができるホールポストを提供する。【解決手段】ホールポスト１００は、フレーム本体１０１を備えている。フレーム本体１０１は、底側フレーム１０２、上側フレーム１０８およびポストベース１１０が支持脚１０３によって互いに連結されている。支持脚１０３は、回り止め部１０７を形成するナットロック支持脚１０４，１０５を有している。ナットロック支持脚１０４，１０５は、ポストベース１１０に連結される水平部１０４ｃ，１０５ｃが締付ナット１２２を回転不能な状態で嵌合する幅で互いに平行に延びて形成されている。締付ナット１２２は、ベル１３０の上端部から突出する雄ネジ軸１２１にネジ嵌合している。雄ネジ軸１２１は、上端部がポストベース１１０に形成された雄ネジ軸貫通孔１１１を貫通してポール１３０の下端部に捩じ込まれる。【選択図】  図２
2020103529.tif 000002
【特許請求の範囲】
【請求項１】
環状に形成された底側フレームと、
前記底側フレームよりも小さい環状に形成されて同底側フレームの上方に配置された上側フレームと、
旗を有して起立するポールを下方から支持する板状体で構成されたポストベースと、
前記底側フレームから立ち上がる棒状に形成されて上端部側で前記上側フレームおよび前記ポストベースをそれぞれ支持する支持脚と、
前記ポールの下方に配置されたベルとを備えたホールポストにおいて、
前記ベルおよび前記ポールのうちの一方から軸状に延びて設けられるとともに他方に捩じ込まれる雄ネジ軸と、
前記雄ネジ軸にネジ嵌合する締付ナットとをそれぞれ備え、
前記ポストベースは、
前記雄ネジ軸が貫通する雄ネジ軸貫通孔を有しており、
前記支持脚は、
前記ポールまたは前記ベルに捩じ込まれた前記雄ネジ軸における前記締付ナットの両側に形成されて同締付ナットの回転を規制する回り止め部が形成されていることを特徴とするホールポスト。
【請求項２】
請求項１に記載したホールポストにおいて、
前記雄ネジ軸は、
前記ベルの上端から延びて前記ポールの下端部に捩じ込まれるものであることを特徴とするホールポスト。
【請求項３】
請求項１または請求項２に記載したホールポストにおいて、
前記支持脚は、
前記底側フレームにおける互いに異なる２つの位置からそれぞれ立ち上がるナットロック支持脚を有しており、
前記回り止め部は、
前記ナットロック支持脚の各上端部が前記締付ナットの径方向の両側の位置にそれぞれ対向配置されて同締付ナットの回転を規制することを特徴とするホールポスト。
【請求項４】
請求項３に記載したホールポストにおいて、
前記雄ネジ軸貫通孔は、
前記ポストベースの中心部分から外縁部に達して開口した状態で形成されており、
前記ナットロック支持脚は、
前記回り止め部が前記雄ネジ軸貫通孔に沿って延びて形成されるとともに、前記雄ネジ軸貫通孔における前記開口した部分側で互いに離隔する方向に開くように屈曲して前記底側フレーム側に延びて形成されていることを特徴とするホールポスト。
【請求項５】
請求項４に記載したホールポストにおいて、
前記支持脚は、
前記回り止め部を構成しない単純支持脚を有しており、
前記単純支持脚は、
上端部が前記２つのナットロック支持脚の間に入り込んだ位置まで延びて形成されいていることを特徴とするホールポスト。
【請求項６】
請求項１ないし請求項５のうちのいずれか１つに記載したホールポストにおいて、
前記支持脚は、
前記底側フレームの内周面から同底側フレームの内側に傾倒した状態で起立していることを特徴とするホールポスト。
【請求項７】
請求項１ないし請求項６のうちのいずれか１つに記載したホールポストにおいて、
前記回り止め部が形成された前記支持脚は、
断面形状が曲面で形成されていることを特徴とするホールポスト。
【発明の詳細な説明】
【技術分野】
【０００１】
本発明は、グラウンドゴルフに用いられるホールポストに関する。
【背景技術】
【０００２】
従来から、グラウンドゴルフではボールを打つ目的地となるホールポストが各種提案されている。例えば、下記特許文献１には、上端部に旗を有するとともに下端部にボルトを有したポールを支持する支持板の下面にこのポールおよび鈴（ベル）を支持するキャッチ部材を備えたホールポストが開示されている。この場合、キャッチ部材は、ポールの下端部に設けられている六角ボルトの回り止めとなる係合溝部と鈴を取り付けるねじ孔とがそれぞれ形成されて支持板の下面に接着または溶着されている。
【先行技術文献】
【特許文献】
【０００３】
【特許文献１】特開２０１２−２００４８５号公報
【０００４】
しかしながら、このような上記特許文献１に記載されたホールポストにおいては、ポールおよび鈴を支持するためにキャッチ部材が必要であり構造が複雑化してポールおよび鈴の着脱作業も煩雑であるという問題がある。
【０００５】
本発明は上記問題に対処するためなされたもので、その目的は、簡単な構造で迅速にポールおよびベルを着脱することができるホールポストを提供することにある。
【発明の概要】
【０００６】
上記目的を達成するため、本発明の特徴は、環状に形成された底側フレームと、底側フレームよりも小さい環状に形成されて同底側フレームの上方に配置された上側フレームと、旗を有して起立するポールを下方から支持する板状体で構成されたポストベースと、底側フレームから立ち上がる棒状に形成されて上端部側で上側フレームおよびポストベースをそれぞれ支持する支持脚と、ポールの下方に配置されたベルとを備えたホールポストにおいて、ベルおよびポールのうちの一方から軸状に延びて設けられるとともに他方に捩じ込まれる雄ネジ軸と、雄ネジ軸にネジ嵌合する締付ナットとをそれぞれ備え、ポストベースは、雄ネジ軸が貫通する雄ネジ軸貫通孔を有しており、支持脚は、ポールまたはベルに捩じ込まれた雄ネジ軸における締付ナットの両側に形成されて同締付ナットの回転を規制する回り止め部が形成されていることにある。
【０００７】
このように構成した本発明の特徴によれば、ホールポストは、ポストベースを支持する支持脚の上端部にベルまたはポールに設けられた雄ネジ軸にネジ嵌合する締付ナットの回転を規制する回り止め部が形成されているため、ホールポストの使用者はポールとベルとをポストベースを介してネジ嵌合させる作業によってポール、ポストベースおよびベルを一体的に連結することができる。すなわち、本発明に係るホールポストは、簡単な構造で迅速にポールおよびベルを着脱することができる。
【０００８】
また、本発明の他の特徴は、前記ホールポストにおいて、雄ネジ軸は、ベルの上端から延びてポールの下端部に捩じ込まれるものであることにある。
【０００９】
このように構成した本発明の他の特徴によれば、ホールポストは、雄ネジ軸がベルの上端から延びてポールの下端部に捩じ込まれるものであるため、雄ネジ軸をポールの下端部に設けてベル内に捩じ込む場合に比べてベルと雄ネジ軸との連結部分の接触面積および雄ネジ軸のベル内に挿し込まれる挿し込み量を抑えることができるためベルの発音および音色の各特性の変化を抑えることができる。
【００１０】
また、本発明の他の特徴は、前記ホールポストにおいて、支持脚は、底側フレームにおける互いに異なる２つの位置からそれぞれ立ち上がるナットロック支持脚を有しており、回り止め部は、ナットロック支持脚の各上端部が締付ナットの径方向の両側の位置にそれぞれ対向配置されて同締付ナットの回転を規制することにある。
【００１１】
このように構成した本発明の他の特徴によれば、ホールポストは、回り止め部が２つのナットロック支持脚の各上端部が締付ナットの径方向の両側の位置に対向配置されているため、回り止め部を１つの支持脚で構成する場合に比べて回り止め部の加工負担を軽減することができる。
【００１２】
また、本発明の他の特徴は、前記ホールポストにおいて、雄ネジ軸貫通孔は、ポストベースの中心部分から外縁部に達して開口した状態で形成されており、ナットロック支持脚は、回り止め部が雄ネジ軸貫通孔に沿って延びて形成されるとともに、雄ネジ軸貫通孔における前記開口した部分側で互いに離隔する方向に開くように屈曲して底側フレーム側に延びて形成されていることにある。
【００１３】
このように構成した本発明の他の特徴によれば、ホールポストは、回り止め部が雄ネジ軸貫通孔に沿って延びて形成されるとともに、雄ネジ軸貫通孔における前記開口した部分側で互いに離隔する方向に開くように屈曲して底側フレーム側に延びて形成されているため、雄ネジ軸貫通孔にベルの雄ネジ軸を挿し込む際に底側フレーム側に延びるナットロック支持脚が案内となって雄ネジ軸を雄ネジ軸貫通孔に挿し込み易くすることができる。
【００１４】
また、本発明の他の特徴は、前記ホールポストにおいて、支持脚は、回り止め部を構成しない単純支持脚を有しており、単純支持脚は、上端部が前記２つのナットロック支持脚の間に入り込んだ位置まで延びて形成されていることにある。
【００１５】
このように構成した本発明の他の特徴によれば、ホールポストは、回り止め部を構成しない単純支持脚の上端部が２つのナットロック支持脚の間に入り込んだ位置まで延びて形成されているため、ポストベースにおける締付ナットによって押圧される部分の剛性を向上させることができ、ベルにグラウンドゴルフボールが衝突した際の衝撃が前記締付ナットを介して受けた場合においても損傷または変形することを抑えることができる。
【００１６】
また、本発明の他の特徴は、前記ホールポストにおいて、支持脚は、底側フレームの内周面から同底側フレームの内側に傾倒した状態で起立していることにある。
【００１７】
このように構成した本発明の他の特徴によれば、ホールポストは、支持脚が底側フレームの内周面から同底側フレームの内側に傾倒した状態で起立しているため、複数のホールポストを円滑に積み重ねて保管または移動させることができる。
【００１８】
また、本発明の他の特徴は、前記ホールポストにおいて、回り止め部が形成された支持脚は、断面形状が曲面で形成されていることにある。
【００１９】
このように構成した本発明の他の特徴によれば、ホールポストは、回り止め部が形成された支持脚の断面形状が曲面で形成されているため、回り止め部内に対して摺動抵抗を抑えて締付ナットを出し入れし易くなる。
【図面の簡単な説明】
【００２０】
【図１】本発明の一実施形態に係るホールポストの全体構成を概略的に示した要部斜視図である。
【図２】図１に示すホールポストにおけるフレーム本体の全体構成を概略的に示した底面図である。
【図３】図１に示したホールポストにおける締付ナットの締付状態を示す要部拡大斜視図である。
【図４】図２に示したホールポストにおけるベルとポールとを雄ネジ軸を介して連結した状態の全体を示す片側断面図である。
【図５】本発明の変形例に係るフレーム本体の全体構成を概略的に示した底面図である。
【図６】本発明の他の変形例に係るフレーム本体の全体構成を概略的に示した底面図である。
【発明を実施するための形態】
【００２１】
以下、本発明に係るホールポストの一実施形態について図面を参照しながら説明する。図１は、本発明に係るホールポスト１００の全体構成の概略を示した要部斜視図である。また、図２は、図１に示すホールポスト１００におけるフレーム本体１０１の全体構成を概略的に示した底面図である。また、図３は、図１に示したホールポスト１００における締付ナット１２２の締付状態を示す要部拡大斜視図である。このホールポスト１００は、グラウンドゴルフにおいてグラウンドゴルフボールを打つ目的地となるベル１２０およびこのベル１２０の位置を示すポストとなるポール１３０を一体的に備えた用具である。
【００２２】
（ホールポスト１００の構成）
ホールポスト１００は、主として、フレーム本体１０１、ベル１２０およびポール１３０によって構成されている。フレーム本体１０１は、底側フレーム１０２を備えている。底側フレーム１０２は、ホールポスト１００の全体を地上で支持するための部品であり、金属製（例えば、ステンレス製）の丸棒材を平面視で円環状に形成して構成されている。この底側フレーム１０２は、支持脚１０３を介して上側フレーム１０８およびポストベース１１０をそれぞれ支持している。
【００２３】
支持脚１０３は、底側フレーム１０２の上方で上側フレーム１０８およびポストベース１１０をそれぞれ支持するとともに回り止め部１０７を構成する部品であり、金属製（例えば、ステンレス製）の丸棒材を屈曲させて構成されている。この場合、支持脚１０３を構成する棒材は、締付ナット１２２の厚さよりも厚い太さで構成されている。
【００２４】
この支持脚１０３は、２つのナットロック支持脚１０４，１０５と１つの単純支持脚１０６とで構成されている。この場合、２つのナットロック支持脚１０４，１０５は、回り止め部１０７を構成する支持脚１０３である。また、単純支持脚１０６は、回り止め部１０７を構成しない支持脚１０３である。
【００２５】
これらのナットロック支持脚１０４，１０５および単純支持脚１０６で構成される３つの支持脚１０３は、起立部１０４ａ，１０５ａ，１０６ａ、傾斜部１０４ｂ，１０５ｂ，１０６ｂおよび水平部１０４ｃ，１０５ｃ，１０６ｃがそれぞれ形成されている。
【００２６】
起立部１０４ａ，１０５ａ，１０６ａは、底側フレーム１０２の内側面に接続されるとともにこの内側面からそれぞれ上方に向かって起立する部分である。この場合、起立部１０４ａ，１０５ａ，１０６ａは、底側フレーム１０２の内側に向かって若干傾斜した姿勢で起立している。また、起立部１０４ａ，１０５ａ，１０６ａは、底側フレーム１０２の周方向に沿って等間隔な位置における内側面に対して溶接加工によって接続されている。
【００２７】
傾斜部１０４ｂ，１０５ｂ，１０６ｂは、起立部１０４ａ，１０５ａ，１０６ａと水平部１０４ｃ，１０５ｃ，１０６ｃとの間に形成される部分であり、起立部１０４ａ，１０５ａ，１０６ａの上端部から更に底側フレーム１０２の内側に傾斜して形成されている。この場合、傾斜部１０４ｂ，１０５ｂ，１０６ｂは、本実施形態においては、直線状に形成されているが、円弧状に形成されていてもよい。
【００２８】
水平部１０４ｃ，１０５ｃ，１０６ｃは、上側フレーム１０８およびポストベース１１０をそれぞれ支持する部分であり、傾斜部１０４ｂ，１０５ｂ，１０６ｂの各先端部から底側フレーム１０２の中心部に向かって水平に延びて形成されている。この場合、水平部１０４ｃ，１０５ｃ，１０６ｃは、各先端部分でポストベース１１０を支持するとともに、ポストベース１１０の径方向外側で上側フレーム１０８を支持している。また、水平部１０４ｃ，１０５ｃ，１０６ｃのうちのナットロック支持脚１０４，１０５を構成する水平部１０４ｃ，１０５ｃの各先端部分には、回り止め部１０７が形成されている。
【００２９】
回り止め部１０７は、後述する締付ナット１２２の回転を規制するための部分であり、締付ナット１２２の径方向外側にそれぞれ対向するように形成されている。具体的には、回り止め部１０７は、ナットロック支持脚１０４，１０５における各水平部１０４ｃ，１０５ｃの一部が折り曲げられて各先端部分が互いに平行に延びるように形成されている。
【００３０】
この場合、回り止め部１０７を構成するナットロック支持脚１０４，１０５の間隔は、締付ナット１２２の互いに平行に延びて対向し合う２つの面の間隔よりも若干広い間隔に形成されており、締付ナット１２２が着脱自在に嵌合するように形成されている。また、回り止め部１０７の奥行きの長さは、締付ナット１２２が収容される長さ、すなわち、締付ナット１２２の外径よりも長い長さに形成されている。この場合、回り止め部１０７の奥行きの長さとは、水平部１０４ｃ，１０５ｃの折り曲げ部分である開口部１０７ａから水平部１０４ｃ，１０５ｃの各先端部までの長さである。
【００３１】
一方、水平部１０４ｃ，１０５ｃ，１０６ｃのうちの回り止め部１０７を構成しない支持脚１０３である単純支持脚１０６を構成する水平部１０６ｃの先端部は、直線のまま回り止め部１０７内まで延びて形成されている。この場合、水平部１０６ｃは、回り止め部１０７を構成する２つの水平部１０４ｃと水平部１０５ｃとの間の中央部に位置している。また、水平部１０６ｃは、先端部が後述する雄ネジ軸貫通孔１１１の最奥部よりも奥側であって同雄ネジ軸貫通孔１１１の最奥部に雄ネジ軸１２１が位置した際に締付ナット１２２が接触しない位置まで延びている。
【００３２】
上側フレーム１０８は、３つの支持脚１０３における各上部部分を互いに連結してホールポスト１００全体の剛性を向上させる部品であり、金属製（例えば、ステンレス製）の丸棒材を平面視で円環状に形成して構成されている。この上側フレーム１０８は、水平部１０４ｃ，１０５ｃ，１０６ｃの傾斜部１０４ｂ，１０５ｂ，１０６ｂ側の各端部を結ぶ仮想円よりも小径に形成されて水平部１０４ｃ，１０５ｃ，１０６ｃ上にそれぞれ溶接されている。
【００３３】
ポストベース１１０は、ベル１２０およびポール１３０をそれぞれ支持する部品であり、金属製（例えば、ステンレス製）の板材を平面視で円板状に形成して構成されている。この場合、ポストベース１１０は、支持脚１０３における水平部１０４ｃ，１０５ｃ，１０６ｃ上に溶接によって固着されている。これにより、フレーム本体１０１は、底側フレーム１０２、支持脚１０３、上側フレーム１０８およびポストベース１１０が溶接加工によって一体的に連結されて構成されている。このポストベース１１０には、中心部から外縁部に向かって延びて同外縁部で開口する雄ネジ軸貫通孔１１１が形成されている。
【００３４】
雄ネジ軸貫通孔１１１は、ベル１２０に取り付けられてポール１３０の下端部に捩じ込まれる雄ネジ軸１２１を通すための部分であり、ポストベース１１０の中心部から外縁部に向かってＵ字状に切り掛れた形状に形成されている。この場合、雄ネジ軸貫通孔１１１は、前記回り止め部１０７の形成方向の中心軸を中心軸としてポストベース１１０の中心部から外縁部に向かって延びて形成されている。
【００３５】
ベル１２０は、図４に示すように、ゴルフにおけるホール（カップ）に相当するものであり、グラウンドゴルフのプレーヤによって打たれたボール（図示せず）が衝突することで音を発するように金属製（例えば、ステンレス製）の円筒状に形成して構成されている。この場合、ベル１２０は、一方（図示上方）の端部がカラー１２３が貫通する程度の貫通孔１２０ａを有して塞がれているとともに、他方（図示下方）の端部が全面開口して形成されている。
【００３６】
このベル１２０には、カラー１２３を介して雄ネジ軸１２１が貫通した状態で取り付けられている。貫通孔１２０ａは、カラー１２３に対してベル１２０の揺動を許容するために内周面の厚さ方向の中央部が内側に張り出した形状に形成、換言すれば、貫通孔１２０ａの軸方向の両開口部分が面取りされた形状に形成されている。
【００３７】
雄ネジ軸１２１は、ベル１２０を保持した状態でポール１３０の下端部に連結させる部品であり、金属製（例えば、ステンレス製）の軸体の一方の端部に六角形状の頭部が形成されるとともに軸体における他端側の外表面に雄ネジが形成された六角ボルトで構成されている。この雄ネジ軸１２１は、雄ネジが形成された軸部分にカラー１２３を被せた状態でベル１２０の貫通孔１２０ａにベル１２０の内部側から挿し込まれている。これにより、雄ネジ軸１２１は、ベル１２０の内部にて頭部が貫通孔１２０ａに引っ掛かった状態で軸部分が貫通孔１２０ａを貫通してカラー１２３とともに露出している。そして、雄ネジ軸１２１には、カラー１２３から露出した部分に締付ナット１２２がネジ嵌合した状態で取り付けられている。
【００３８】
締付ナット１２２は、ポール１３０と協働してポストベース１１０を挟むことでポール１３０およびベル１２０をポストベース１１０に取り付けるための部品であり、金属製（例えば、ステンレス製）の筒体の内周面に雌ネジを形成するとともに外表面を六角形状に形成した六角ナットで構成されている。
【００３９】
カラー１２３は、締付ナット１２２の下方におけるベル１２０の位置を決めるとともに雄ネジ軸１２１を覆いつつベル１２０の貫通孔１２０ａに嵌合する部品である。このカラー１２３は、樹脂材を貫通孔１２０ａに嵌合する外径でかつ雄ネジ軸１２１が貫通可能な内径の円筒状に形成されている。また、カラー１２３は、ポストベース１１０に対して下方側にベル１２０を所定の位置に配置する長さに形成されている。
【００４０】
ポール１３０は、グラウンドゴルフのプレーヤに対してホール（ベル１２０）の位置を示す旗（図示せず）を保持する部品であり、金属製（アルミニウム製）の筒体を細長く延びる棒状に形成して構成されている。このポール１３０の長手方向の両端部には、栓部材１３１ａ，１３１ｂが嵌め込まれている。
【００４１】
栓部材１３１ａ，１３１ｂは、ポール１３０の両端部の開口部をそれぞれ塞ぐ部品であり、金属製（アルミニウム製）の円柱体で構成されている。この場合、栓部材１３１ａ，１３１ｂは、ポール１３０の両端部に対するカシメ加工によって取り付けられている。また、ポール１３０の下端部を塞ぐ栓部材１３１ｂには、前記雄ネジ軸１２１が捩じ込まれる雌ネジが形成されている。
【００４２】
（ホールポスト１００の作動）
次に、このように構成したホールポスト１００の作動について説明する。ホールポスト１００の使用者は、まず、ホールポスト１００を組み立てる。具体的には、使用者は、ベル１２０、雄ネジ軸１２１、締付ナット１２２およびカラー１２３をそれぞれ用意してこれらを互いに組み付ける。
【００４３】
より具体的には、使用者は、カラー１２３を被せた雄ネジ軸１２１の軸部をベル１２０の貫通孔１２０ａにベル１２０の内部から通した後、貫通孔１２０ａを貫通した雄ネジ軸１２１の軸部に締付ナット１２２を捩じ込む。この場合、使用者は、締付ナット１２２をカラー１２３の上端部まで捩じ込む。これにより、ベル１２０は、雄ネジ軸１２１上にカラー１２３を介して揺動可能な状態で組み付けられる。
【００４４】
次に、使用者は、フレーム本体１０１およびポール１３０をそれぞれ用意してベル１２０とともに組み付ける。具体的には、使用者は、ポール１３０の栓部材１３１ｂにベル１２０が組み付けられた雄ネジ軸１２１の軸部を捩じ込む。この場合、使用者は、ポール１３０の栓部材１３１ｂの他面と締付ナット１２２との間隔がポストベース１１０の厚さ以上を確保した状態で雄ネジ軸１２１をポール１３０の栓部材１３１ｂに捩じ込む。これにより、ベル１２０とポール１３０とが雄ネジ軸１２１を介して互いに連結される。
【００４５】
次に、使用者は、ベル１２０およびポール１３０が組み付けられた雄ネジ軸１２１の軸部をフレーム本体１０１におけるポストベース１１０の雄ネジ軸貫通孔１１１内に挿し込む。この場合、使用者は、雄ネジ軸１２１に取り付けられた締付ナット１２２をポストベース１１０の下面に形成された回り止め部１０７内に挿し込むことができる（図３参照）。そして、使用者は、ポール１３０を回転操作することで雄ネジ軸１２１をポール１３０の栓部材１３１ｂ内に捩じ込んでいくことができる。
【００４６】
この場合、雄ネジ軸１２１に取り付けられた締付ナット１２２は、回り止め部１０７内に嵌合して回転が不能な状態である。このため、使用者は、ポール１３０を回転させるに従ってポール１３０の下端部と締付ナット１２２とでポストベース１１０を締め付けることができる。これにより、使用者は、フレーム本体１０１に対してベル１２０およびポール１３０を強固に取り付けることができる。そして、使用者は、ポール１３０の上端部に旗を取り付けることでホールポスト１００を完成させることができる。
【００４７】
次に、使用者は、完成したホールポスト１００をグラウンドゴルフ場における所定の設置位置上に載置して使用することができる。この場合、ホールポスト１００は、プレーヤが打つべき目的位置を示すとともにプレーヤが打ったボールがベル１２０に衝突することで音を発することができる。
【００４８】
次に、使用者は、ホールポスト１００の使用を終了する場合には、ホールポスト１００を分解することができる。具体的には、使用者は、ポール１３０を前記回転操作とは反対方向に回転操作することによってポール１３０の下端部と締付ナット１２２とによるポストベース１１０を締め付ける状態を弛めて雄ネジ軸１２１を雄ネジ軸貫通孔１１１の開口部に向かってスライド変位させることでポストベース１１０から取り外すことができる。すなわち、使用者は、ベル１２０およびポール１３０が組み付けられた雄ネジ軸１２１をフレーム本体１０１から分離することができる。
【００４９】
次に、使用者は、フレーム本体１０１から分離した雄ネジ軸１２１に対してポール１３０を回転操作することによってポール１３０を取り外すことができる。次に、使用者は、ポール１３０が取り外された雄ネジ軸１２１に対して締付ナット１２２を回動操作することによって締付ナット１２２を取り外すことができる。次に、作業者は、締付ナット１２２が取り外された雄ネジ軸１２１をベル１２０内から抜き去ることでベル１２０、雄ネジ軸１２１およびカラー１２３を互いに分離することができる。
【００５０】
そして、使用者は、ホールポスト１００を保管または輸送する場合においては、複数のフレーム本体１０１を積み重ねることができる。この場合、フレーム本体１０１は、支持脚１０３の起立部１０４ａ，１０５ａ，１０６ａが底側フレーム１０２の内側面に固着されているとともに起立部１０４ａ，１０５ａ，１０６ａおよび傾斜部１０４ｂ，１０５ｂ，１０６ｂがそれぞれフレーム本体１０１の内側に傾斜しているため、複数のフレーム本体１０１を円滑に積み重ねることができる。
【００５１】
上記作動説明からも理解できるように、上記実施形態によれば、ホールポスト１００は、ポストベース１１０を支持する支持脚１０３の上端部にベル１２０またはポール１３０に設けられた雄ネジ軸１２１にネジ嵌合する締付ナット１２２の回転を規制する回り止め部１０７が形成されているため、ホールポスト１００の使用者はポール１３０とベル１２０とをポストベース１１０を介してネジ嵌合させる作業によってポール１３０、ポストベース１１０およびベル１２０を一体的に連結することができる。すなわち、本発明に係るホールポスト１００は、簡単な構造で迅速にポール１３０およびベル１２０を着脱することができる。
【００５２】
さらに、本発明の実施にあたっては、上記実施形態に限定されるものではなく、本発明の目的を逸脱しない限りにおいて種々の変更が可能である。なお、下記各変形例を示す図においては、上記実施形態におけるホールポスト１００の構成部分に対応する部分に同じ符号を付して、これらの説明は適宜省略する。
【００５３】
例えば、上記実施形態においては、締付ナット１２２は、平面視で六角形状に形成した。しかし、締付ナット１２２は、回り止め部１０７内で回転不能に引っ掛かる形状に形成されていればよい。したがって、締付ナット１２２は、平面視で三角形または四角形などの多角形のほか、星形形状または楕円形状などの異形形状に形成されていてもよい。
【００５４】
また、上記実施形態においては、フレーム本体１０１は、３つの支持脚１０３を備えて構成した。しかし、フレーム本体１０１は、少なくとも１つの支持脚１０３を備えて構成されていればよい。したがって、回り止め部１０７は、図５に示すように、フレーム本体１０１を１つの支持脚１０３で構成した場合においては、その１つの支持脚１０３の上端部分である水平部をＵ字状に折り曲げて構成することができる。
【００５５】
また、上記実施形態においては、回り止め部１０７は、２つのナットロック支持脚１０４，１０５で構成した。しかし、回り止め部１０７は、上記したように少なくも１つのナットロック支持脚１０４で構成することができる。
【００５６】
また、上記実施形態においては、回り止め部１０７は、締付ナット１２２を水平方向に変位させて出し入れすることができる溝状に形成した。しかし、回り止め部１０７は、締付ナット１２２を着脱自在に嵌合するように構成されていればよい。したがって、回り止め部１０７は、図６に示すように、少なくとも１つの以上のナットロック支持脚１０４によって締付ナット１２２の外周の全部または略全部を囲む環状に形成することもできる。この場合、使用者は、締付ナット１２２を雄ネジ軸１２１の軸方向である上下方向に変位させることで締付ナット１２２を回り止め部１０７に出し入れすることができる。
【００５７】
また、上記実施形態においては、回り止め部１０７は、丸棒で構成されたナットロック支持脚１０４，１０５で形成した。すなわち、回り止め部１０７は、断面形状が曲面で構成されたナットロック支持脚１０４，１０５で形成した。これにより、回り止め部１０７は、締付ナット１２２に対して摺動抵抗を抑えて円滑に出し入れすることができる。しかし、回り止め部１０７は、断面形状が楕円形状の他、三角形状または四角形状の角棒で構成されたナットロック支持脚１０４，１０５で形成することもできる。
【００５８】
また、上記実施形態においては、２つのナットロック支持脚１０４，１０５は、回り止め部１０７が雄ネジ軸貫通孔１１１に沿って延びて形成されるとともに、雄ネジ軸貫通孔１１１における開口した部分側で互い離隔する方向に開くように屈曲して底側フレーム１０２側に延びて形成されている。すなわち、２つのナットロック支持脚１０４，１０５における水平部１０４ｃと水平部１０５ｃとが１２０°の角度で形成されている。しかし、２つのナットロック支持脚１０４，１０５における水平部１０４ｃと水平部１０５ｃとが１２０°以上または１２０°以下の角度で形成されていてもよい。この場合、例えば、２つのナットロック支持脚１０４，１０５における水平部１０４ｃと水平部１０５ｃとが１８０°の角度となるように形成することもできる。
【００５９】
また、上記実施形態においては、雄ネジ軸貫通孔１１１は、ポストベース１１０の中心部から外縁部に開口する切欠き形状に形成した。しかし、雄ネジ軸貫通孔１１１は、雄ネジ軸１２１が貫通するように形成されていればよい。したがって、雄ネジ軸貫通孔１１１は、図６に示すように、ポストベース１１０の中心部にポストベース１１０の外縁部に繋がらない円形の貫通孔として形成することもできる。
【００６０】
また、上記実施形態においては、雄ネジ軸１２１は、ベル１２０の貫通孔１２０ａを貫通することでベル１２０の上端部から延びてポール１３０の下端部の栓部材１３１ｂに捩じ込まれるように構成した。しかし、雄ネジ軸１２１は、ポール１３０の下端部から下方に向かって延びてベル１２０の上端部に捩じ込まれるように構成することもできる。
【００６１】
また、上記実施形態においては、回り止め部１０７を構成しない単純支持脚１０６の水平部１０６ｃの先端部が２つのナットロック支持脚１０４，１０５の間に入り込んだ位置まで延びて形成されている。これにより、ポストベース１１０は、締付ナット１２２によって押圧される部分の剛性を向上させることができ、ベル１２０にグラウンドゴルフボールが衝突した際の衝撃が締付ナット１２２を介して受けた場合においても損傷または変形することを抑えることができる。
【００６２】
なお、単純支持脚１０６は、水平部１０６ｃの先端部が雄ネジ軸貫通孔１１１の最奥部よりも奥側であって同雄ネジ軸貫通孔１１１の最奥部に雄ネジ軸１２１が位置した際に締付ナット１２２が接触しない位置まで延びている。これにより、単純支持脚１０６は、締付ナット１２２が衝突することによる損傷を防止することができる。しかし、単純支持脚１０６は、水平部１０６ｃの先端部が雄ネジ軸貫通孔１１１の最奥部よりも奥側であって同雄ネジ軸貫通孔１１１の最奥部に雄ネジ軸１２１が位置した際に締付ナット１２２が接触する位置まで延びて形成することもできる。これによれば、単純支持脚１０６は、締付ナット１２２が接触することで回り止め部１０７内における締付ナット１２２の位置、すなわち、ポール１３０の位置を規定することができる。
【００６３】
また、上記実施形態においては、支持脚１０３は、起立部１０４ａ，１０５ａ，１０６ａが底側フレーム１０２の内側面に固着されているとともに、起立部１０４ａ，１０５ａ，１０６ａおよび傾斜部１０４ｂ，１０５ｂ，１０６ｂが底側フレーム１０２の径方向の内側に傾斜した状態で延びて形成されている。これにより、フレーム本体１０１は、複数のフレーム本体１０１を円滑に積み重ねて保管または移動させることができる。特に、フレーム本体１０１は、底側フレーム１０２に対して支持脚１０３を溶接加工によって固着した場合においては、支持脚１０３が溶接加工による熱によって径方向外側に多少変形した場合であっても円滑に積み重ねることができる。なお、フレーム本体１０１は、支持脚１０３を溶接以外の接続方法（例えば、接着剤を用いた接続）で接続するようにしてもよいし、フレーム本体１０１の全体を鋳物で構成することもできる。
【符号の説明】
【００６４】
１００…ホールポスト、１０１…フレーム本体、１０２…底側フレーム、１０３…支持脚、１０４，１０５…ナットロック支持脚、１０６…単純支持脚、１０４ａ，１０５ａ，１０６ａ…起立部、１０４ｂ，１０５ｂ，１０６ｂ…傾斜部、１０４ｃ，１０５ｃ，１０６ｃ…水平部、１０７…回り止め部、１０７ａ…開口部、１０８…上側フレーム、
１１０…ポストベース、１１１…雄ネジ軸貫通孔、
１２０…ベル、１２０ａ…貫通孔、１２１…雄ネジ軸、１２２…締付ナット、１２３…カラー、
１３０…ポール、１３１ａ，１３１ｂ…栓部材。
【図１】
2020103529.tif 000003
【図２】
2020103529.tif 000004
【図３】
2020103529.tif 000005
【図４】
2020103529.tif 000006
【図５】
2020103529.tif 000007
【図６】
2020103529.tif 000008